(57)【要約】【課題】包装用箱の箱蓋から容易に小箱を組み立てることができるようにし、商品価値を高める。【解決手段】箱蓋の展開紙に切断指示線と折曲指示線を表示する。切断指示線は、天面の４隅から各側面を所定長さ切り離す切断指示線Ａと、各側面の不要部を切り取る切断指示線Ｂと、各把手面から把手部を切り抜く切断指示線Ｄ，Ｅを備え、折曲指示線は、各切断指示線Ａの内端において天面と各側面に設けた幅方向の折曲指示線ａと、各折曲指示線ａの所定距離外側の天面に設けた幅方向の折曲指示線ｂと、各折曲指示線ｂの所定距離外側の端面に設けた幅方向の折曲指示線ｃを備える。天面の折曲指示線ａの内側が小箱底面、折曲指示線ａとｂの間が小箱外端面、折曲指示線ｂとｃの間が小箱蓋面、各折曲指示線ｃの外側が把手面となり、各側面の折曲指示線ａの内側が小箱側面に、各折曲指示線ａの外側が小箱内端面となる。【選択図】      図８
2011140317.tif 000002
【特許請求の範囲】
【請求項１】
長方形の天面の２長辺外側に側面が、２短辺外側に端面が、各側面の両端に糊代が形成されるように１枚の紙を裁断してなる展開紙の、前記各側面と各端面を天面に対して直角に折り曲げ、前記各糊代を前記各側面に対して直角に折り曲げ、該糊代を端面裏側に接着して形成した直方体状箱蓋を有する包装用箱であって、
前記展開紙に表示した切断指示線と折曲指示線に従って展開紙を切断及び折り曲げることで小箱を組み立てることができ、
前記切断指示線は、前記天面の４隅から前記各側面を所定長さ切り離す切断指示線Ａと、前記各側面の長手方向両端部の不要部を切り取る切断指示線Ｂと、各把手面から把手部を切り抜く切断指示線Ｄ，Ｅを備え、
前記折曲指示線は、前記各切断指示線Ａの内端において前記天面と各側面に設けた幅方向の折曲指示線ａと、該各折曲指示線ａの所定距離外側の天面に設けた幅方向の折曲指示線ｂと、該各折曲指示線ｂの所定距離外側の端面に設けた幅方向の折曲指示線ｃを備え、
前記天面の折曲指示線ａの内側が小箱底面に、各折曲指示線ａとｂの間が小箱外端面に、各折曲指示線ｂとｃの間が小箱蓋面に、各折曲指示線ｃの外側が把手面となり、
前記各側面の折曲指示線ａの内側が小箱側面に、各折曲指示線ａの外側が小箱内端面となり、
前記切断指示線を切断して小箱型紙とし、前記各小箱側面を小箱底面から直角に立ち上げ、前記各小箱内端面を折曲指示線ａで内側に折り曲げ、前記各小箱外端面を折曲指示線ａで折り曲げて立ち上げ、前記各小箱蓋面を折曲指示線ｂで内側に折り曲げて小箱を覆い、前記各把手面を折曲指示線ｃで折り曲げて起立させることで、小箱を組み立てられることを特徴とする包装用箱。
【請求項２】
前記各小箱内端面に切断指示線Ｃが形成され、切断指示線Ｃを切断した切断部Ｃを噛み合わせることで各端部における両側の小箱内端面が結合される請求項１に記載の包装用箱。
【請求項３】
前記切断指示線Ｂが小箱内端面の端部に係合片が突出するように設けられ、前記小箱外端面に該係合片が挿入される係合穴Ｆを切り抜く切断指示線Ｆを設け、該係合片を該係合穴Ｆに挿入することで小箱内端面と小箱外端面が結合される請求項１又は２に記載の包装用箱。
【請求項４】
一方の把手部を切り抜く前記切断指示線Ｄが、把手部を切り抜いた部分の中に係合片が突出するように設けられ、他方の前記小箱蓋面に該係合片を挿入する係合穴Ｇを切り抜く切断指示線Ｇを設け、該係合片を該係合穴Ｇに挿入することで２つの小箱蓋面が結合される請求項１〜３のいずれかに記載の包装用箱。
【発明の詳細な説明】
【技術分野】
【０００１】
本発明は、種々の物品を包装する包装用箱で、箱本体に被せる箱状の蓋を有するものに関する。
【背景技術】
【０００２】
例えば図１や下記特許文献１に示すように、上面が開口した直方体状の箱本体と、これに覆い被せる下面が開口した直方体状の箱蓋からなる包装用箱が知られている。
この種の包装用箱における箱蓋は、単に箱に蓋をして箱本体を閉塞する機能しか有していなかった。
【先行技術文献】
【特許文献】
【０００３】
【特許文献１】特開２００７−３１４１８８号公報
【発明の概要】
【発明が解決しようとする課題】
【０００４】
本発明は、箱蓋に他の用途を付加し、商品価値を高めること、具体的には、箱蓋から容易に小箱を組み立てることができるようにし、その小箱を小物入れや菓子を入れる箱として再利用できるようにすることを課題とするものである。
【課題を解決するための手段】
【０００５】
〔請求項１〕
本発明は、
長方形の天面の２長辺外側に側面が、２短辺外側に端面が、各側面の両端に糊代が形成されるように１枚の紙を裁断してなる展開紙の、前記各側面と各端面を天面に対して直角に折り曲げ、前記各糊代を前記各側面に対して直角に折り曲げ、該糊代を端面裏側に接着して形成した直方体状箱蓋を有する包装用箱であって、
前記展開紙に表示した切断指示線と折曲指示線に従って展開紙を切断及び折り曲げることで小箱を組み立てることができ、
前記切断指示線は、前記天面の４隅から前記各側面を所定長さ切り離す切断指示線Ａと、前記各側面の長手方向両端部の不要部を切り取る切断指示線Ｂと、各把手面から把手部を切り抜く切断指示線Ｄ，Ｅを備え、
前記折曲指示線は、前記各切断指示線Ａの内端において前記天面と各側面に設けた幅方向の折曲指示線ａと、該各折曲指示線ａの所定距離外側の天面に設けた幅方向の折曲指示線ｂと、該各折曲指示線ｂの所定距離外側の端面に設けた幅方向の折曲指示線ｃを備え、
前記天面の折曲指示線ａの内側が小箱底面に、各折曲指示線ａとｂの間が小箱外端面に、各折曲指示線ｂとｃの間が小箱蓋面に、各折曲指示線ｃの外側が把手面となり、
前記各側面の折曲指示線ａの内側が小箱側面に、各折曲指示線ａの外側が小箱内端面となり、
前記切断指示線を切断して小箱型紙とし、前記各小箱側面を小箱底面から直角に立ち上げ、前記各小箱内端面を折曲指示線ａで内側に折り曲げ、前記各小箱外端面を折曲指示線ａで折り曲げて立ち上げ、前記各小箱蓋面を折曲指示線ｂで内側に折り曲げて小箱を覆い、前記各把手面を折曲指示線ｃで折り曲げて起立させることで、把手付小箱を組み立てられることを特徴とする包装用箱
である。
【０００６】
箱蓋の展開紙は、所望の強度、剛性を有する紙とし、例えば厚さ０．８ｍｍ以上の厚紙とすることができる。
切断指示線は、展開紙の表面又は裏面、又は表面裏面の双方に印刷した線でもよく、容易に切断できるミシン線としても良いが、少なくとも穴状に切り抜く部分はミシン線とすることが望ましい。
折曲指示線は、展開紙の表面又は裏面、又は表面裏面の双方に印刷した線でもよく、容易に折り曲げることができるプレス線とすることもできる。
【０００７】
箱蓋の展開紙を切断指示線で切断して小箱型紙とし、これを折曲指示線で折り曲げることで容易に把手付き小箱を組み立てることができる。
【０００８】
〔請求項２〕
また本発明は、
前記各小箱内端面に切断指示線Ｃが形成され、切断指示線Ｃを切断した切断部Ｃを噛み合わせることで各端部における両側の小箱内端面が結合される請求項１に記載の包装用箱
である。
【０００９】
切断部Ｃを噛み合わせて各端部における両側の小箱内端面が結合されるので、接着剤を使用することなく両側の小箱内端面を結合することができる。
【００１０】
〔請求項３〕
また本発明は、
前記切断指示線Ｂが小箱内端面の端部に係合片が突出するように設けられ、前記小箱外端面に該係合片が挿入される係合穴Ｆを切り抜く切断指示線Ｆを設け、該係合片を該係合穴Ｆに挿入することで小箱内端面と小箱外端面が結合される請求項１又は２に記載の包装用箱
である。
【００１１】
小箱内端面の端部に係合片を形成し、これを小箱外端面に形成した係合穴Ｆに挿入することで、小箱内端面と小箱外端面を接着剤を用いることなく結合することができる。
【００１２】
〔請求項４〕
また本発明は、
一方の把手部を切り抜く前記切断指示線Ｄが、把手部を切り抜いた部分の中に係合片が突出するように設けられ、他方の前記小箱蓋面に該係合片を挿入する係合穴Ｇを切り抜く切断指示線Ｇを設け、該係合片を該係合穴Ｇに挿入することで２つの小箱蓋面が結合される請求項１〜３のいずれかに記載の包装用箱
である。
【００１３】
一方の把手面に形成した係合片を、反対側の小箱蓋面に形成した係合穴Ｇに挿入し、又は抜き取ることで、容易に小箱蓋面の開閉を行うことができる。
【発明の効果】
【００１４】
本発明の包装箱は、箱蓋から把手付き小箱を容易に組み立てることができ、この小箱は菓子、小物、ポケットティッシュなどを入れて便利に再使用することができる。
【図面の簡単な説明】
【００１５】
【図１】実施例の包装用箱１の斜視説明図である。
【図２】包装用箱１の展開紙４の表面図である。
【図３】展開紙４の裏面図である。
【図４】小箱型紙５の表面図である。
【図５】小箱型紙５の組み立て説明図である。
【図６】小箱型紙５の組み立て説明図である。
【図７】小箱型紙５の組み立て説明図である。
【図８】小箱８の完成図である。
【発明を実施するための形態】
【実施例】
【００１６】
以下、実施例を表した図面に基づいて本発明を詳細に説明する。
図１に示す実施例の包装用箱１は、食器等を包装するもので、上面が開口した直方体状の箱本体２と、下面が開口した直方体状の箱蓋３からなる。
箱蓋３は、展開紙４を組み立てて形成される。
図３に示すように、展開紙４は、長方形の天面４１の２つの長辺の外側にそれぞれ側面４２が、２つの短辺の外側にそれぞれ端面４３が、各側面４２の両端に糊代４４が形成されるように１枚の紙を裁断したものである。
天面４１と側面４２の間は折目４５、天面４１と端面４３の間は折目４６、側面４２と糊代４４の間は折目４７となっている。
各側面４２を折目４５で、各端面４３を折目４６で天面４１に対して直角に折り曲げ、各糊代４４を折目４７で各側面４２に対して直角に折り曲げ、糊代４４を端面４３の裏側に接着して箱蓋３が組み立てられている。なお、この接着は、容易に剥がすことができるように比較的接着力の弱い接着剤で接着されている。
【００１７】
図２は展開紙４の表面、図３は展開紙４の裏面である。
図２に示すように、展開紙４の表面側には切断指示線Ａ，Ｂ，Ｃ，Ｈが印刷により表示され、切断指示線Ｄ，Ｅ，Ｆ，Ｇがミシン線により設けられている。
切断指示線Ａは、天面４１の４隅から天面の長辺に沿って所定長さ設けられ、各側面４２を天面４１から所定長さ切り離し、切断部Ａとするものである。この所定長さは、図４に示すように、小箱底面５１の４隅に至るまでの長さである。
切断指示線Ｂは、各側面４２の長手方向両端部の不要部（糊代４４及び側面４２の一部）を切り取るもので、切断後の切断部Ｂに図４の係合片５３ａが突出形成されるように折れ曲がったものとなっている。
切断指示線Ｃは、側面４２の長辺の所定位置から側面４２を幅方向に中央部まで切断するように設けられている。この所定位置は、図４に示す小箱内端面５３となる部分であって、切断指示線Ｃを切断した切断部Ｃの対応するもの（Ｃ1とＣ2、Ｃ3とＣ4）を噛み合わせることで各端部における両側の小箱内端面を結合することができる位置である。（図６）
切断指示線Ｄは、図４に示すように、一方の把手面５６から把手部（穴）を切り抜くもので、これを切断した切断部Ｄが把手部となる。切断指示線Ｄは把手部を切り抜いた部分の中に係合片５６ａが突出するように設けられている。
切断指示線Ｅは、図４に示すように、他方の把手面５６から把手部（穴）を抜き抜くもので、これを切断した切断部Ｅが把手部となる。
切断指示線Ｆは、図４に示すように、係合片５３ａ〜５３ｄを挿入するための係合穴Ｆを切り抜くためのものである。
切断指示線Ｇは、図４に示すように、係合片５６ａを挿入するための係合穴Ｇを切り抜くためのものである。
切断指示線Ｈは、図４に示すように、これを切断して切断部Ｈとすることで、把手面５６の形状を整えるためのものである。
【００１８】
図２，４に示されるように、係合片５３ａ〜５３ｄの部分には絵柄６ａ〜６ｄが印刷表示され、切断指示線Ｆ（係合穴Ｆ）の部分には絵柄７ａ〜７ｄが印刷表示されている。絵柄６ａと７ａ、絵柄６ｂと７ｂ、絵柄６ｃと７ｃ、及び絵柄６ｄと７ｄはそれぞれ同じ絵柄となっている。これらの絵柄は、果物、動物、花など任意である。
【００１９】
また、展開紙４の表面側には折曲指示線ａ，ｂ，ｃ，ｄが印刷により表示されている。
折曲指示線ａは、各切断指示線Ａの内端において天面４１と各側面４２に幅方向に設けられている。折曲指示線ａの付近には「やまおり」の表示があり、これは折曲指示線ａに沿って表面側が「やま」になるように折り曲げる指示である。
折曲指示線ｂは、各折曲指示線ａの所定距離外側の天面に幅方向に設けられている。ここにおける所定距離は、小箱端面の高さに相当し、側面４２の幅と実質的に等しくなる。折曲指示線ｂの付近には「やまおり」の表示があり、これは折曲指示線ｂに沿って表面側が「やま」になるように折り曲げる指示である。
折曲指示線ｃは、各折曲指示線ｂの所定距離外側の側面４３に幅方向に設けられている。ここにおける所定距離は、小箱蓋面５５の長さに相当する。折曲指示線ｃの付近には「たにおり」の表示があり、これは折曲指示線ｃに沿って表面側が「たに」になるように折り曲げる指示であり、これにより、図８に示すように把手面５６が起立するように折り曲げられる。
折曲指示線ｄは、図４の係合片５６ａを折り曲げ、図８に示すように反対側の小箱蓋面５５の係合穴Ｇに挿入できるようにするためのものである。折曲指示線ｄの付近には「やまおり」の表示があり、これは折曲指示線ｄに沿って表面側が「やま」になるように折り曲げる指示である。
【００２０】
天面４１の折曲指示線ａの内側が小箱底面５１に、各折曲指示線ａとｂの間が小箱外端面５４に、各折曲指示線ｂとｃの間が小箱蓋面５５に、各折曲指示線ｃの外側が把手面５６となる。また、各側面４２の折曲指示線ａの内側が小箱側面５２に、各折曲指示線ａの外側が小箱内端面５３となる。
【００２１】
図１の箱蓋３の端面４３を糊代４４から剥がし、広げて図２，３に示す展開紙４にする。その後、切断指示線Ａ，Ｂ，Ｃ，Ｈを鋏で切断し、切断指示線Ｄ，Ｅ，Ｆ，Ｇのミシン線を切り抜き、図４に示す小箱型紙５にする。
【００２２】
小箱型紙５から小箱８を組み立てるにあたっては、先ず、小箱型紙の裏面を上にし、図５に示すように、小箱底面５１の両側の小箱側面５２を折目４５に沿って曲げて起立させる。その後、同図に鎖線で示すように各小箱内端面５３を、折曲指示線ａに沿って内側方向に折り曲げる。その際、切断指示線Ｃを切断した切断部Ｃ（Ｃ1〜Ｃ4）を噛み合わせることで各端部における両側の小箱内端面を結合する。具体的には、切断部Ｃ1とＣ2、切断部Ｃ3とＣ4を噛み合わせる。
図6は、切断部Ｃを噛み合わせて小箱内端面５３を折り曲げ終わった状態である。
【００２３】
その後、図７に示すように、小箱外端面５４を折曲指示線ａに沿って折り曲げて立ち上げ、更に小箱蓋面５５を折曲指示線ｂに沿って小箱上方を覆うように折り曲げ、更に把手面５６を折曲指示線ｃに沿って折り曲げて起立させる。この際、係合片５３ａ〜５３ｄを各対応する係合穴Ｆに挿入して小箱内端面５３と小箱外端面５４を結合する。これにより、小箱外端面に表れる絵柄は、絵柄６ａと７ａ、絵柄６ｂと７ｂ、絵柄６ｃと７ｃ、及び絵柄６ｄと７ｄが合成されて、それぞれ完全な絵柄となる。
【００２４】
図７は、小箱蓋面５５を開けた状態であり、この状態で小箱８内に菓子、ポケットティッシュなどの収納物を自由に出し入れできる。
図７の状態から、図８に示す、小箱８の小箱蓋面５５を閉めた状態にするには、係合片５６ａを折曲指示線ｄで折り曲げた先端部を反対側の小箱蓋面に形成した係合穴Ｇに挿入すればよい。これにより、両側の小箱蓋面５５が結合されると共に、両側の把手面５６がほぼ重なり、把手が形成される。
【００２５】
このように包装用箱１は、その箱蓋３から、接着剤を用いることなく、容易に小箱８を組み立て、小物入れなどとして再利用することができる。
【符号の説明】
【００２６】
１  包装用箱
２  箱本体
３  箱蓋
４  展開紙
４１  天面
４２  側面
４３  端面
４４  糊代
４５  折目
４６  折目
４７  折目
５  小箱型紙
５１  小箱底面
５２  小箱側面
５３  小箱内端面
５３ａ，５３ｂ，５３ｃ，５３ｄ  係合片
５４  小箱外端面
５５  小箱蓋面
５６  把手面
５６ａ  係合片
６ａ，６ｂ，６ｃ，６ｄ  絵柄
７ａ，７ｂ，７ｃ，７ｄ  絵柄
８  小箱
Ａ  切断指示線Ａ，切断部Ａ
Ｂ  切断指示線Ｂ，切断部Ｂ
Ｃ  切断指示線Ｃ，切断部Ｃ
Ｄ  切断指示線Ｄ，切断部Ｄ
Ｅ  切断指示線Ｅ，切断部Ｅ
Ｆ  切断指示線Ｆ，係合穴Ｆ
Ｇ  切断指示線Ｇ，係合穴Ｇ
ａ  折曲指示線ａ
ｂ  折曲指示線ｂ
ｃ  折曲指示線ｃ
ｄ  折曲指示線ｄ
【図１】
2011140317.tif 000003
【図２】
2011140317.tif 000004
【図３】
2011140317.tif 000005
【図４】
2011140317.tif 000006
【図５】
2011140317.tif 000007
【図６】
2011140317.tif 000008
【図７】
2011140317.tif 000009
【図８】
2011140317.tif 000010